(57)【要約】 【課題】  双方のコネクタを正しい位置関係で容易に嵌合させることのできるコネクタ装置を提供することを目的とする。【解決手段】  雄コネクタ２のフード部２１２の内周面には、その幅方向の端部に係合溝２１４が形成され、フード部２１２の前端部が幅方向のほぼ中央部から端部にかけて、その後方に向かって傾斜している傾斜面２１５にて形成されている。雌コネクタ３は、フード部２１２に嵌合するように、その断面形状が幅方向に長い矩形状をしたコネクタ嵌合部３１１を有し、その幅方向の端部において、コネクタ嵌合部３１１の上面あるいは下面には、嵌合方向に延びて係合溝２１４に係合する係合リブ３１４が立設されている。【選択図】  図１６
2005190821.tif 000002
【特許請求の範囲】
【請求項１】
前方にフード部を有し、このフード部が幅方向に長い矩形状の開口部を形成している一側のコネクタと、前記フード部に嵌合するように、その断面形状が幅方向に長い矩形状をした嵌合部を有する他側のコネクタを備えたコネクタ装置において、
前記他側のコネクタの嵌合部の幅方向の端部において、その上面あるいは下面には嵌合方向に延びるリブが立設され、
前記一側のコネクタの前記フード部の内周面には、その幅方向の端部において前記リブを収容するように窪んだ係合溝が形成されるとともに、前記フード部の前端部が幅方向の略中央部から端部にかけて、その後方に向かって傾斜していることを特徴とするコネクタ装置。
【請求項２】
前記リブが、前記他側のコネクタの幅方向の両端部に形成されるとともに、前記係合溝が、前記一側のコネクタの幅方向の両端部に形成されたことを特徴とする請求項１記載のコネクタ装置。
【発明の詳細な説明】
【技術分野】
【０００１】
本発明は、互いに嵌合する一対のコネクタを備え、それらの嵌合部位の断面形状が幅方向に長い矩形状をしたコネクタ装置に関する。
【背景技術】
【０００２】
主に、回路基板用として使用されるコネクタ装置は、回路基板に接続される多数の端子金具を含んでおり、互いの嵌合部位の断面形状が幅方向に長い矩形状をしているため（例えば、特許文献１参照）、それらが嵌合し始める時の互いの位置合わせが難しい。また、嵌合初期の段階において、無理に嵌合させようと誤って過大な押圧力を加えると、双方のコネクタが斜めに傾いたまま深く嵌合してしまい、再び双方を分離することも困難な状態となる。
【特許文献１】特開平６−３２５８２６号公報（第１図および第２図）
【発明の開示】
【発明が解決しようとする課題】
【０００３】
本発明は上記のような事情に基づいて完成されたものであって、双方のコネクタを正しい位置関係で容易に嵌合させることのできるコネクタ装置を提供することを目的とする。
【課題を解決するための手段】
【０００４】
上記の目的を達成するための手段として、請求項１の発明は、前方にフード部を有し、このフード部が幅方向に長い矩形状の開口部を形成している一側のコネクタと、前記フード部に嵌合するように、その断面形状が幅方向に長い矩形状をした嵌合部を有する他側のコネクタを備えたコネクタ装置において、前記他側のコネクタの嵌合部の幅方向の端部において、その上面あるいは下面には嵌合方向に延びるリブが立設され、前記一側のコネクタの前記フード部の内周面には、その幅方向の端部において前記リブを収容するように窪んだ係合溝が形成されるとともに、前記フード部の前端部が幅方向の略中央部から端部にかけて、その後方に向かって傾斜していることを特徴とするコネクタ装置とした。
【０００５】
請求項２の発明は、前記リブが、前記他側のコネクタの幅方向の両端部に形成されるとともに、前記係合溝が、前記一側のコネクタの幅方向の両端部に形成されたことを特徴とする請求項１記載のコネクタ装置とした。
【０００６】
また、関連発明１は、雌雄の一側の端子金具を収容するために前後方向に延びたキャビティを有し、相手側コネクタと嵌合するとともに、その外周面から前記キャビティ内に到達するように形成され、前記外周面の内の一面に開口するリテーナ装着孔を有するコネクタハウジングと、前記リテーナ装着孔の側面と対向しながら前記コネクタハウジング内部へと進んで前記リテーナ装着孔に装着されるとともに、前記キャビティ内に突出して前記端子金具と係合することにより、前記端子金具の前記キャビティからの抜け止めを行う係止状態となるように、前記キャビティを横切るように延びたリテーナを備えたコネクタにおいて、前記リテーナには前記リテーナ装着孔の側面との対向面に、治具を係合させて前記コネクタハウジングの外方に押動することにより、前記リテーナを係止状態から外すことのできる凹部が形成され、前記凹部は前記リテーナの延びた方向に、その略全幅に渡って一続きであることを特徴とするコネクタとした。
【０００７】
関連発明２は、前記リテーナ装着孔の開口部には、前記リテーナの凹部と対向するように、前記コネクタハウジングの幅方向に、その略全幅に渡って一続きに延びた切欠面が形成されたことを特徴とする関連発明１記載のコネクタとした。
【発明の効果】
【０００８】
＜請求項１の発明＞
他側のコネクタの嵌合部の幅方向の端部において、その上面あるいは下面には嵌合方向に延びるリブが立設され、一側のコネクタのフード部の内周面には、その幅方向の端部においてリブを収容するように窪んだ係合溝が形成されるとともに、フード部の前端部が幅方向の略中央部から端部にかけて、その後方に向かって傾斜していることにより、雌雄のコネクタの嵌合初期の段階で、フード部の前端部に他側のコネクタの幅方向の端部に形成されたリブを当接させ、そのまま他側のコネクタの端部を、後方へ傾斜したフード部の前端部に沿って一側のコネクタの幅方向の端部へと移動させることにより、雌雄のコネクタの幅方向の端部同士を一致させ、リブと係合溝とを互いに係合させて、双方のコネクタを正しい位置関係で容易に嵌合させることができる。
【０００９】
つまり、他側のコネクタの幅方向の端部に形成されたリブが一側のコネクタのフード部に当接してそれ以上進入しないため、双方のコネクタが、互いに誤った位置で係合することがない。また、フード部の前端部に傾斜面が形成されているため、フード部にリブを当接させた状態で、他側のコネクタに過大な荷重を加えた場合、他側のコネクタが誤ってフード部内に進入せずに、傾斜面を滑って一側のコネクタの幅方向の端部へと移動するため、双方のコネクタの位置合わせが、簡単に行える。
【００１０】
＜請求項２の発明＞
リブが、他側のコネクタの幅方向の両端部に形成されるとともに、係合溝が、一側のコネクタの幅方向の両端部に形成されたため、雌雄のコネクタの両端部において、リブと係合溝とを互いに係合させて双方のコネクタを嵌合させることにより、より円滑に安定して嵌合させることができる。
【００１１】
＜関連発明１＞
リテーナにはリテーナ装着孔の側面との対向面に、治具を係合させてコネクタハウジングの外方に押動することにより、リテーナを係止状態から外すことのできる凹部が形成され、凹部はリテーナの延びた方向に、その略全幅に渡って一続きであるため、治具を凹部に係合させたまま、リテーナの延びた方向に移動させることにより、長く延びたリテーナでも、治具をコネクタハウジングに抜き差しせずに、係止状態から容易に取り外すことができる。
【００１２】
＜関連発明２＞
リテーナ装着孔の開口部には、リテーナの凹部と対向するように、コネクタハウジングの幅方向に、その略全幅に渡って一続きに延びた切欠面が形成されたことにより、リテーナを取り外す時に、治具をリテーナの凹部に挿入し易くなり、リテーナの取り外しがいっそう容易になる。
【発明を実施するための最良の形態】
【００１３】
本発明および関連発明の実施形態を図１乃至図２０に基づいて説明する。コネクタ装置１は、本発明の一側のコネクタおよび関連発明の相手側コネクタに該当する雄コネクタ２と、本発明の他側のコネクタおよび関連発明のコネクタに該当する雌コネクタ３を備えている。以下の説明中において、図１の右方を雄コネクタ２の前方、図４の左方を雌コネクタ３の前方とする。尚、図６、図９、図１１および図１３中において、雌端子金具３３は省略されている。最初に、図１乃至図３により、雄コネクタ２について説明する。雄コネクタ２は、雄コネクタハウジング２１の内部に、２種類の雄端子金具２２、２３を収容しており、図示しない電子回路基板上に取り付けられるものである。
【００１４】
雄コネクタハウジング２１は、合成樹脂材料にて一体に形成され、その後方部には立壁にて形成され、上述した雄端子金具２２、２３がそれぞれ圧入される端子圧入部２１１が設けられている。また、端子圧入部２１１からは前方に向けて、後述する雌コネクタ３が嵌合されるフード部２１２が延設されており、図３に示すように、フード部２１２によって、その内周面に雄コネクタハウジング２１の幅方向に長い矩形状の開口部２１３が形成されている。
【００１５】
フード部２１２の内周面のうち、その天井面および底面には、雄コネクタ２の幅方向の両端部において、それぞれ上方あるいは下方に窪んだ係合溝２１４が合計４箇所に形成されており、それらは、フード部２１２の内周面を雄コネクタハウジング２１の前後方向に延びている。更に、フード部２１２を構成する上面および下面の前端部は、図１に示すように、雄コネクタハウジング２１の幅方向のほぼ中央部から両端部に向けて、後方に向けて傾斜する一対の傾斜面２１５とされている。
【００１６】
尚、雄コネクタハウジング２１の幅方向の両端部において、その外周面から電子回路基板への取付部２１６が突出している。各々の取付部２１６には、取付孔２１６ａが形成されており、取付孔２１６ａにはスクリュー等が上下方向に挿通された後、電子回路基板に締め付けられることにより、雄コネクタ２を固定している。また、フード部２１２の天井面には、その幅方向中央部に、後述するように雌コネクタ３の係合突部３１５ａと係合して、双方のコネクタ２、３を互いにロックさせるロック部２１７が形成されている（図３および図２０示）。
【００１７】
端子圧入部２１１には、２段に雄端子金具２２、２３が圧入されており、上段には雄端子金具２２が幅方向に複数個、下段にも雄端子金具２３が同じく幅方向に複数個圧入されている。雄端子金具２２、２３は、ともに導電性を有する金属材料にて形成され、それぞれ後述する雌端子金具３３に嵌合する嵌合部２２ａ、２３ａが先端部に形成され、その後方には、雄コネクタハウジング２１の後面から突出した後、Ｌ字状に曲げられて、電子回路基板に半田付け等により固定される回路固定部２２ｂ、２３ｂが形成されている。
【００１８】
次に、図４乃至図１４により、雌コネクタ３について説明する。雌コネクタ３は、上述した雄端子金具２２、２３と嵌合する雌端子金具３３、内部に雌端子金具３３を収容する雌コネクタハウジング３１および雌コネクタハウジング３１に下方から装着されて、雌端子金具３３の抜け止めを行うリテーナ３２とにより構成されている。雌コネクタハウジング３１は合成樹脂材料にて一体に形成され、その前方部には上述した雄コネクタ２のフード部２１２内に嵌合するように、その断面形状が幅方向に長い矩形状をしたコネクタ嵌合部３１１（本発明の嵌合部に該当する）が形成されている。
【００１９】
コネクタ嵌合部３１１の内部には、電線ＣＷにかしめられて接続され、導電性を有する金属材料にて形成された雌端子金具３３が収容されるように、前後方向に延びた複数のキャビティ３１１ａが設けられている（図１０示）。キャビティ３１１ａは雌コネクタハウジング３１の内部に２段に設けられ、雄コネクタ２の雄端子金具２２、２３の配列に対応して上段および下段にそれぞれ複数個配置されている。
【００２０】
各々のキャビティ３１１ａには、その下面からキャビティ３１１ａ内に突出するように、片持ち状のランス３１２が設けられている。また、キャビティ３１１ａの前壁には、雌雄のコネクタ２、３の嵌合時に、雄端子金具２２、２３の嵌合部２２ａ、２３ａが進入する進入孔３１１ｂが形成されている。また、雌コネクタハウジング３１のランス３１２の前方部には、雌端子金具３３とランス３１２との係合を解除する時に、治具を挿入するための挿入孔３１２ａが設けられている。
【００２１】
雌コネクタハウジング３１の前後方向のほぼ中央部には、その下面に開口して、キャビティ３１１ａ内に到達するように上方に延びたリテーナ装着孔３１３が形成されている。リテーナ装着孔３１３は、リテーナ３２が装着されるように、雌コネクタハウジング３１の幅方向に長く延びている。雌コネクタハウジング３１の幅方向の両端部において、コネクタ嵌合部３１１の上面および下面からは、雄コネクタ２との嵌合時に、上述した雄コネクタ２の係合溝２１４に係合して、その中に収容される合計４個の係合リブ３１４（本発明のリブに該当する）が突出し、雌コネクタハウジング３１の嵌合方向である前後方向に延びている。当然のことながら、雌コネクタ３の幅方向の端部は、係合リブ３１４が設けられていることにより上下方向に厚く形成されているため、フード部２１２の係合溝２１４が形成されていない部位に侵入することはない。
【００２２】
雌コネクタハウジング３１の上面には、上述したように、雄コネクタ２のロック部２１７と係合する係合突部３１５ａが形成されている。また、係合突部３１５ａの後方には、雌雄のコネクタ２、３の嵌合を解除する時に、押し下げることにより係合突部３１５ａを下方に撓ませて、ロック部２１７との係合を外すためのリリーフ片３１５ｂが設けられている。更に、図９に示すように、雌コネクタハウジング３１の幅方向の両端部には、窪み部３１６が形成されており、双方の底面からは仮係止突部３１７および本係止突部３１８が、下方から並ぶように突出している。また、図９および図１０に示すように、リテーナ装着孔３１３の下端に位置する開口部には、切欠面３１９が設けられている。切欠面３１９はリテーナ装着孔３１３の開口部のうち、前方にある角部に設けられ、雌コネクタハウジング３１の幅方向に、そのほぼ全幅に渡って延びた一続きの傾斜面によって形成されている。
【００２３】
リテーナ３２について詳述する。リテーナ３２は合成樹脂材料にて一体に形成され、雌コネクタハウジング３１のリテーナ装着孔３１３内を、その側面と対向しながら進入して、キャビティ３１１ａを横切るように、雌コネクタハウジング３１の幅方向に延びた状態でリテーナ装着孔３１３に装着される。これにより、キャビティ３１１ａ内に突出して雌端子金具３３と係合し、雌端子金具３３のキャビティ３１１ａからの抜け止めを行う本係止状態となる。リテーナ３２は、図７に示すように、幅方向に延びた基体３２１と、その両端部に設けられた一対の側面部３２２とにより構成されている。
【００２４】
基体３２１には、雌コネクタハウジング３１に装着された際に、その下段に配置されたキャビティ３１１ａに収容される雌端子金具３３が挿通される端子挿通孔３２３が複数個設けられている。端子挿通孔３２３の内周面には、雌コネクタハウジング３１の下段に配置されたキャビティ３１１ａ内に下方より突出する端子係合部３２３ａが複数個形成され、端子挿通孔３２３の上方部には、上段に配置されたキャビティ３１１ａ内に下方より突出する端子係合部３２３ｂが複数個設けられている。また、リテーナ３２の幅方向のほぼ中央部には、端子挿通孔３２３は設けられず、端子係合部３２３ａのみが形成されている。
【００２５】
基体３２１の下端前方部には、リテーナ３２の延びた幅方向に、ほぼ全幅に渡って一続きに延びる凹部３２４が形成されている（図７示）。凹部３２４は、図１０に示すように、リテーナ３２の下端部において前後方向に深く形成され、リテーナ３２をリテーナ装着孔３１３に装着した時、リテーナ装着孔３１３の前方に位置する側面と対向する面に形成されている。凹部３２４は、後述するように、リテーナ３２を本係止状態から仮係止状態にする際に、取り外し治具が挿入されて雌コネクタハウジング３１の外方に押動される。凹部３２４の開口部の下面には、治具が挿入し易いように斜面３２４ａが設けられている。一対の側面部３２２の互いに対向する内側面には、ともに平坦な凹部が形成されることにより、その上端部には、リテーナ３２の装着時に、上述した雌コネクタハウジング３１の本係止突部３１８および仮係止突部３１７と係合する係止受部３２５が設けられている（図９示）。
【００２６】
次に、リテーナ３２を雌コネクタハウジング３１に装着する方法、および本係止状態から仮係止状態に移動させる方法について説明する。最初に、雌コネクタハウジング３１のリテーナ装着孔３１３に、リテーナ３２を下方から挿入していき、リテーナ３２の各々の側面部３２２を、雌コネクタハウジング３１の窪み部３１６内に進入させていく。側面部３２２が窪み部３１６内に所定量だけ進入すると、それぞれ側面部３２２が幅方向外方に撓んで、係止受部３２５がリテーナ３２の仮係止突部３１７を乗越えてこれと係合し、図１１および図１２に示すように仮係止状態となる。これにより、リテーナ３２は雌コネクタハウジング３１から脱落しない状態となる。
【００２７】
リテーナ３２が雌コネクタハウジング３１に仮係止された状態で、電線ＣＷにかしめられた雌端子金具３３を、後方からキャビティ３１１ａ内に挿入する。リテーナ３２が雌コネクタハウジング３１に対して仮係止状態にあるため、端子係合部３２３ａ、３２３ｂはキャビティ３１１ａ内に突出しておらず、雌端子金具３３はキャビティ３１１ａ内に支障なく進入して、ランス３１２を下方に撓ませた後、キャビティ３１１ａ内に収まる。ランス３１２は一旦撓んだ後、上方に形状復帰して雌端子金具３３と係合し、雌端子金具３３の抜け止めの機能を果たす（図１２示）。
【００２８】
その後、リテーナ３２を雌コネクタハウジング３１に対して、更に上方に挿入させると、それぞれ側面部３２２が幅方向外方に撓んで、係止受部３２５が本係止突部３１８を乗越えて係合し、図１３および図１４に示すように、本係止状態となる。この状態において、リテーナ３２の端子係合部３２３ａ、３２３ｂは、雌コネクタハウジング３１のキャビティ３１１ａ内に突出しているため、雌端子金具３３と係合して、ランス３１２とともにその後方への抜け止めを行なう。図１４に示すように、この時、リテーナ３２の凹部３２４と雌コネクタハウジング３１のリテーナ装着孔３１３の開口部に形成された切欠面３１９は、雌コネクタハウジング３１の幅方向に渡って互いに対向している。
【００２９】
次に、図１５に基づいて、本係止状態にあるリテーナ３２を仮係止状態にする方法について説明する。従来より、コネクタハウジングの一側面に装着される、端子金具の抜け止めのためのリテーナを備えたコネクタ（例えば、特開平７−９４２３０号公報の第１図に開示されたもの）があったが、リテーナが、例えば、コネクタハウジングの幅方向に長く延びて装着されるものについては、リテーナの外周部とコネクタハウジングのリテーナ装着孔との間の摺動抵抗が大きく、その本係止状態から仮係止状態へ移動させるため、リテーナの幅方向の数箇所において、治具をリテーナに引っ掛けてコネクタハウジングから引出す作業を行わなければならず、コネクタハウジングの数箇所に対して治具を抜き差しする必要があり、作業性の悪いものであった。上述した雌コネクタ３の構成、および以下に説明するリテーナ３２の本係止状態から仮係止状態への移動方法は、上述した従来の課題を解決する関連発明に関するものである。
【００３０】
最初に、雌コネクタハウジング３１の幅方向の一端部において、リテーナ３２を雌コネクタハウジング３１から取り外すための治具Ｊを、雌コネクタハウジング３１の斜め下方から接近させて、リテーナ装着孔３１３の開口部に形成された切欠面３１９に挿入する。切欠面３１９に挿入した治具Ｊを、リテーナ３２の斜面３２４ａを介して、凹部３２４内に進入させる。その後、治具Ｊの先端を凹部３２４に引っ掛けたまま、その上面を切欠面３１９に当接させて、当接した点を支点として図１５において時計回りに回転させる。
【００３１】
これにより、てこの作用で凹部３２４を引っ掛けて、リテーナ３２をその幅方向の一端部において、リテーナ装着孔３１３から下方に引出す。このままの状態で、治具Ｊを雌コネクタハウジング３１の幅方向の他端部に向けて、凹部３２４中および切欠面３１９上を移動させる。この動作により、リテーナ３２をその全幅に渡って、リテーナ装着孔３１３から引出すとともに、幅方向の両端部にある側面部３２２を外方に撓ませて、係止受部３２５に本係止突部３１８を乗越えさせ、仮係止突部３１７と係合させる。従って、幅方向に長いリテーナ３２であっても、雌コネクタハウジング３１に対して治具Ｊを抜き差しすることなく、容易に本係止状態から仮係止状態へと移動させることができる。
【００３２】
次に、図１６乃至図２０に基づいて、雄コネクタ２と雌コネクタ３とを互いに嵌合させる方法について説明する。最初に、雄コネクタ２のフード部２１２の幅方向のほぼ中央部に、雌コネクタ３のコネクタ嵌合部３１１の係合リブ３１４よりも前方に位置する部位を挿入して、雌コネクタハウジング３１の上下面から突出した係合リブ３１４を、フード部２１２の前端部に形成された傾斜面２１５に当接させる(図１６示）。次に、係合リブ３１４を傾斜面２１５に当接させたまま、雌コネクタ３の幅方向の一端部を傾斜面２１５上に滑らせて、フード部２１２を形成する開口部２１３の一端部に当接するまで移動させる（図１７示）。図１６および図１７から明らかなように、雌コネクタハウジング３１の係合リブ３１４が、雄コネクタハウジング２１のフード部２１２の前端部に当接している時には、雌雄のコネクタ２、３の互いの位置関係に拘わらず、雌コネクタハウジング３１が雄端子金具２２、２３に接触することはなく、これらを変形等させることはない。
【００３３】
その次に、雌コネクタ３を雄コネクタハウジング２１の開口部２１３の一端部を中心に、図１７において時計回りに回動させて、雄コネクタ２の開口部２１３と雌コネクタ３のコネクタ嵌合部３１１とを対向させる（図１８示）。最後に、雌コネクタ３の上下面に形成された係合リブ３１４を、雄コネクタ２の係合溝２１４にそれぞれ係合させながら、雌コネクタ３を雄コネクタ２のフード部２１２内に挿入して、双方の嵌合を完了させる（図１９および図２０示）。
【００３４】
この状態において、雄端子金具２２、２３の嵌合部２２ａ、２３ａは、雌端子金具３３と係合して電気的に連結されている。また、雄コネクタ２のロック部２１７と、雌コネクタ３の係合突部３１５ａとが係合して、双方のコネクタハウジング２１、３１を連結している。上述した雌雄のコネクタ２、３の嵌合方法において、雌コネクタ３を雄コネクタ２のフード部２１２上を、図１６の下方に滑らせて嵌合させてもよいことは言うまでもない。
【００３５】
本実施形態によれば、雌雄のコネクタ２、３の嵌合初期の段階で、フード部２１２の傾斜面２１５に雌コネクタ３の係合リブ３１４を当接させ、そのまま雌コネクタ３の端部を、後方へ傾斜した傾斜面２１５に沿って雄コネクタ２の幅方向の端部へと移動させることにより、雌雄のコネクタ２、３の幅方向の端部同士を一致させ、係合リブ３１４と係合溝２１４とを互いに係合させて、双方のコネクタ２、３を正しい位置関係で容易に嵌合させることができる。
【００３６】
すなわち、雌コネクタ３の幅方向の端部に形成された係合リブ３１４が雄コネクタ２のフード部２１２に当接してそれ以上進入しないため、雌雄のコネクタ２、３が、互いに誤った位置で係合することがない。また、フード部２１２の前端部に形成された傾斜面２１５により、フード部２１２に係合リブ３１４を当接させた状態で、雌コネクタ３に過大な荷重を加えても、雌コネクタ３が誤ってフード部２１２内に進入することなく、傾斜面２１５を滑って容易に雄コネクタ２の端部へと移動することができ、雌雄のコネクタ２、３の位置合わせが簡単に行える。
【００３７】
また、係合リブ３１４が、雌コネクタ３の幅方向の両端部に形成されるとともに、係合溝２１４が、雄コネクタ２の幅方向の両端部に形成されたため、雌雄のコネクタ２、３の両端部において、係合リブ３１４と係合溝２１４とを互いに係合させて双方のコネクタ２、３を嵌合させることにより、より円滑に安定して嵌合させることができる。更に、フード部２１２の前端部が、幅方向のほぼ中央部からそれぞれ両端部にかけて、その後方に向かって傾斜した一対の傾斜面２１５を設けたことにより、フード部２１２の前端部に雌コネクタ３の係合リブ３１４を当接させた後、フード部２１２の前端部に沿って、その両端部のどちらの方向へも移動させることができるため、よりいっそう嵌合作業性のよいコネクタ装置１にすることができる。
【００３８】
また、リテーナ３２にはリテーナ装着孔３１３の側面との対向面に、治具Ｊを係合させてコネクタハウジング３の外方に押動することにより、リテーナ３２を仮係止状態から本係止状態へ移動させることのできる凹部３２４が形成され、凹部３２４はリテーナ３２の延びた幅方向に、そのほぼ全幅に渡って一続きであるため、治具Ｊを凹部３２４に係合させたまま、リテーナ３２の延びた方向に移動させることにより、長く延びたリテーナ３２でも、治具Ｊを雌コネクタハウジング３１に抜き差しせずに、容易に取り外すことができる。更に、リテーナ装着孔３１３の開口部には、雌コネクタハウジング３１の幅方向に、そのほぼ全幅に渡って一続きに延びて、リテーナ３２の凹部３２４と対向する切欠面３１９が形成されたことにより、リテーナ３２を取り外す時に、治具Ｊをリテーナ３２の凹部３２４に挿入し易くなり、リテーナ３２の取り外しがいっそう容易になる。
【００３９】
＜他の実施形態＞
本発明は上述の記載および図面によって説明した実施形態に限定されるものではなく、例えば次のような実施形態も本発明の技術的範囲に含まれ、さらに、以下の記載のもの以外にも要旨を逸脱しない範囲内で種々変更して実施することができる。
（１）係合溝および係合リブは、それぞれ雌雄のコネクタの幅方向の一側の端部のみに形成してもよい。
（２）フード部の前端部に形成された傾斜面は、コネクタの幅方向の片側のみに設けてもよい。
（３）係合溝および係合リブは、それぞれのコネクタの上面のみ、あるいは下面のみに形成してもよい。
（４）リテーナに形成される凹部は、コネクタの後方に向けて開口するように設けられてもよい。
（５）リテーナに形成された凹部および雌コネクタハウジングに設けられた切欠面は、これらを利用してリテーナ全体の係止状態の解除ができるものであれば、厳密にそれぞれの一端部から他端部に渡って形成されていなくてもよい。
【図面の簡単な説明】
【００４０】
【図１】本実施形態による雄コネクタの平面図である。
【図２】図１の正面図である。
【図３】図２の右側面図である。
【図４】本実施形態による雌コネクタの平面図である。
【図５】図４の正面図である。
【図６】図４の左側面図である。
【図７】本実施形態によるリテーナの正面図である。
【図８】図７の平面図である。
【図９】雌コネクタハウジングにリテーナを装着する前の背面図である。
【図１０】雌コネクタの分解図である。
【図１１】リテーナを仮係止状態にしたところを示す雌コネクタの背面図である。
【図１２】図１１の断面図である。
【図１３】リテーナを本係止状態にしたところを示す雌コネクタの背面図である。
【図１４】図１３の断面図である。
【図１５】リテーナを本係止状態から仮係止状態にする方法を説明する断面図である。
【図１６】雌コネクタを雄コネクタに嵌合させるために、係合リブをフード部の前端部に当接させたところを示す平面図である。
【図１７】雌コネクタの幅方向の一端部を、雄コネクタの開口部の幅方向の一端部に当接させたところを示す平面図である。
【図１８】雄コネクタの開口部と、雌コネクタのコネクタ嵌合部とを対向させたところを示す平面図である。
【図１９】雌雄のコネクタの嵌合が完了したところを示す平面図である。
【図２０】図１９の断面図である。
【符号の説明】
【００４１】
１…コネクタ装置
２…雄コネクタ
３…雌コネクタ
２１…雄コネクタハウジング
２２、２３…雄端子金具
３１…雌コネクタハウジング
３２…リテーナ
３３…雌端子金具
２１２…フード部
２１３…開口部
２１４…係合溝
２１５…傾斜面
３１１…コネクタ嵌合部
３１１ａ…キャビティ
３１３…リテーナ装着孔
３１４…係合リブ
３１９…切欠面
３２４…凹部
Ｊ…取り外し治具
【図１】
2005190821.tif 000003
【図２】
2005190821.tif 000004
【図３】
2005190821.tif 000005
【図４】
2005190821.tif 000006
【図５】
2005190821.tif 000007
【図６】
2005190821.tif 000008
【図７】
2005190821.tif 000009
【図８】
2005190821.tif 000010
【図９】
2005190821.tif 000011
【図１０】
2005190821.tif 000012
【図１１】
2005190821.tif 000013
【図１２】
2005190821.tif 000014
【図１３】
2005190821.tif 000015
【図１４】
2005190821.tif 000016
【図１５】
2005190821.tif 000017
【図１６】
2005190821.tif 000018
【図１７】
2005190821.tif 000019
【図１８】
2005190821.tif 000020
【図１９】
2005190821.tif 000021
【図２０】
2005190821.tif 000022